(57)【要約】【課題】利用者の眠気を解消させたり、利用者を集中させたりできる照明装置及び照明システムを提供する。【解決手段】照明装置２０は、対象空間５０を照明する照明光を射出する発光装置１０と、照明光のスペクトルを制御する制御部２２とを備える。照明光は、６００ｎｍ〜６６０ｎｍの波長領域に第１ピーク波長を有し、５１０ｎｍ〜５５０ｎｍの波長領域に第２ピーク波長を有し、４４０ｎｍ〜４７０ｎｍの波長領域に第３ピーク波長を有し、３６０ｎｍ〜４３０ｎｍの波長領域に第４ピーク波長を有する所定のスペクトルで特定される。制御部２２は、対象空間５０の雰囲気に関する情報を取得し、対象空間５０の雰囲気に関する情報の変化に応じて、第４ピーク波長の相対光強度に対する第３ピーク波長の相対光強度の比を変化させる。【選択図】図１
2020184412.tif 000002
【特許請求の範囲】
【請求項１】
対象空間を照明する照明光を射出する発光装置と、
前記照明光のスペクトルを制御する制御部と
を備え、
前記照明光は、６００ｎｍ〜６６０ｎｍの波長領域に第１ピーク波長を有し、５１０ｎｍ〜５５０ｎｍの波長領域に第２ピーク波長を有し、４４０ｎｍ〜４７０ｎｍの波長領域に第３ピーク波長を有し、３６０ｎｍ〜４３０ｎｍの波長領域に第４ピーク波長を有する所定のスペクトルで特定され、
前記制御部は、
前記対象空間の雰囲気に関する情報を取得し、
前記対象空間の雰囲気に関する情報の変化に応じて、前記第４ピーク波長の相対光強度に対する前記第３ピーク波長の相対光強度の比を変化させる、照明装置。
【請求項２】
前記対象空間の雰囲気に関する情報は、前記対象空間の二酸化炭素濃度を含む、請求項１に記載の照明装置。
【請求項３】
前記対象空間の雰囲気に関する情報は、前記対象空間の湿度を含む、請求項１又は２に記載の照明装置。
【請求項４】
前記制御部は、前記対象空間の雰囲気に関する情報が制御条件を満たす場合に、前記対象空間の雰囲気に関する情報が前記制御条件を満たさない場合よりも、前記第４ピーク波長の相対光強度に対する前記第３ピーク波長の相対光強度の比を大きくする、請求項１から３のいずれか一項に記載の照明装置。
【請求項５】
前記制御部は、
前記対象空間の雰囲気が前記制御条件を満たす場合に、前記照明光の色温度が６０００Ｋ以上となるように、前記照明光のスペクトルを制御し、
前記対象空間の雰囲気が前記制御条件を満たしていない場合に、前記照明光の色温度が５５００Ｋ以下となるように、前記照明光のスペクトルを制御する、請求項４に記載の照明装置。
【請求項６】
前記発光装置は、
３６０ｎｍ〜４３０ｎｍの波長領域にピーク波長を有する光を発光する発光素子と、
前記発光素子が発光する光を、３６０ｎｍ〜７８０ｎｍの波長領域にピーク波長を有する光に変換する波長変換部材と
を備える、請求項１から５までのいずれか一項に記載の照明装置。
【請求項７】
対象空間を照明する照明光を射出する照明装置と、
前記照明装置を制御する制御装置と、
前記対象空間の雰囲気に関する情報を検出するセンサと
を備え、
前記照明光は、６００ｎｍ〜６６０ｎｍの波長領域に第１ピーク波長を有し、５１０ｎｍ〜５５０ｎｍの波長領域に第２ピーク波長を有し、４４０ｎｍ〜４７０ｎｍの波長領域に第３ピーク波長を有し、３６０ｎｍ〜４３０ｎｍの波長領域に第４ピーク波長を有する所定のスペクトルで特定され、
前記制御装置は、
前記センサから前記対象空間の雰囲気に関する情報を取得し、
前記対象空間の雰囲気に関する情報の変化に応じて、前記第４ピーク波長の相対光強度に対する前記第３ピーク波長の相対光強度の比を変化させるように、前記照明光のスペクトルを制御する、照明システム。
【発明の詳細な説明】
【技術分野】
【０００１】
本開示は、照明装置及び照明システムに関する。
【背景技術】
【０００２】
人間の居住環境の雰囲気に基づいて、人間の眠くなりやすさを推定するとともに覚醒を誘導するシステムが知られている（例えば、特許文献１参照）。
【先行技術文献】
【特許文献】
【０００３】
【特許文献１】特開２０１９−６３６３号公報
【発明の概要】
【発明が解決しようとする課題】
【０００４】
対象空間の雰囲気が変化したとしても、元の状態に戻すことができない場合がある。そのような場合であっても、利用者の眠気を解消させたり、利用者を集中させたりすることが求められる。
【０００５】
本開示の目的は、対象空間の雰囲気が変化した場合であっても、利用者の眠気を解消させたり、利用者を集中させたりできる照明装置及び照明システムを提供することにある。
【課題を解決するための手段】
【０００６】
本開示の一実施形態に係る照明装置は、対象空間を照明する照明光を射出する発光装置と、前記照明光のスペクトルを制御する制御部とを備える。前記照明光は、所定のスペクトルで特定される。前記所定のスペクトルは、６００ｎｍ〜６６０ｎｍの波長領域に第１ピーク波長を有する。前記所定のスペクトルは、５１０ｎｍ〜５５０ｎｍの波長領域に第２ピーク波長を有する。前記所定のスペクトルは、４４０ｎｍ〜４７０ｎｍの波長領域に第３ピーク波長を有する。前記所定のスペクトルは、３６０ｎｍ〜４３０ｎｍの波長領域に第４ピーク波長を有する。前記制御部は、前記対象空間の雰囲気に関する情報を取得する。前記制御部は、前記対象空間の雰囲気に関する情報の変化に応じて、前記第４ピーク波長の相対光強度に対する前記第３ピーク波長の相対光強度の比を変化させるように、前記照明光のスペクトルを制御する。
【０００７】
本開示の一実施形態に係る照明システムは、対象空間を照明する照明光を射出する照明装置と、前記照明装置を制御する制御装置と、前記対象空間の雰囲気に関する情報を検出するセンサとを備える。前記照明光は、所定のスペクトルで特定される。前記所定のスペクトルは、６００ｎｍ〜６６０ｎｍの波長領域に第１ピーク波長を有する。前記所定のスペクトルは、５１０ｎｍ〜５５０ｎｍの波長領域に第２ピーク波長を有する。前記所定のスペクトルは、４４０ｎｍ〜４７０ｎｍの波長領域に第３ピーク波長を有する。前記所定のスペクトルは、３６０ｎｍ〜４３０ｎｍの波長領域に第４ピーク波長を有する。前記制御装置は、前記センサから前記対象空間の雰囲気に関する情報を取得する。前記制御装置は、前記対象空間の雰囲気に関する情報の変化に応じて、前記第４ピーク波長の相対光強度に対する前記第３ピーク波長の相対光強度の比を変化させるように、前記照明光のスペクトルを制御する。
【発明の効果】
【０００８】
本開示の一実施形態に係る照明装置及び照明システムは、利用者の眠気を解消させたり、利用者を集中させたりできる。
【図面の簡単な説明】
【０００９】
【図１】一実施形態に係る照明システムの構成例を示すブロック図である。
【図２】発光装置を備える照明装置の構成例を示す斜視図である。
【図３】発光装置の構成例を示す外観斜視図である。
【図４】図３のＡ−Ａ断面図である。
【図５】図４の丸囲み部の拡大図である。
【図６】照明光のスペクトルの一例を示すグラフである。
【図７】異なる色温度を有する照明光のスペクトルの一例を示すグラフである。
【図８】照明装置の制御方法に含まれる手順の一例を示すフローチャートである。
【発明を実施するための形態】
【００１０】
人間は、室内の雰囲気から悪影響を受けることがある。例えば、以下に挙げる参考ＵＲＬ１のウェブページに記載されている事項によれば、室内の二酸化炭素濃度が２５００ｐｐｍを超えた場合に、室内にいる人間の集中力が低下することが報告されている。
［参考ＵＲＬ１］
https://newscenter.lbl.gov/2012/10/17/elevated-indoor-carbon-dioxide-impairs-decision-making-performance/
BERKELEY LAB, Elevated Indoor Carbon Dioxide Impairs Decision-Making Performance
【００１１】
例えば以下に挙げる参考論文１によれば、湿度が３５％より低い室内において、被検者が疲れを感じやすくなったり被検者の知的生産性が低下したりする現象が生じることが報告されている。
［参考論文１］
堤仁美等、超低湿度環境における在室者の健康性・快適性・知的生産性に関する研究、空気調和・衛生工学会大会学術講演論文集、2005.2(0)、945-948、2005
【００１２】
また、例えば以下に挙げる参考論文２によれば、湿度が７０％より高い室内において、被検者の不快感が増大することが報告されている。
［参考論文２］
田辺新一等、オフィス空間における湿度が熱的快適性に与える影響に関する研究:第１報−空気温度・相対湿度の組合せによる温冷感の違い、空気調和・衛生工学会論文集、31(109)、1-9、2006
【００１３】
また、例えば、室内の湿度は、人間の体感温度に影響を及ぼす。体感温度が高すぎたり低すぎたりする場合、人間は、その環境を不快に感じ、集中しにくくなることがある。人間が感じる不快さの度合いは、例えば以下に挙げる参考ＵＲＬ２のウェブページに記載されているように気温及び湿度に基づいて算出される不快指数によって表される。不快指数が６０未満であったり７５より大きかったりする場合、人間は集中しにくくなることがある。
［参考ＵＲＬ２］
https://ja.wikipedia.org/wiki/%E4%B8%8D%E5%BF%AB%E6%8C%87%E6%95%B0
Wikipedia「不快指数」
【００１４】
以上のことから、人間の眠気の増加の度合い又は集中力の低下の度合いは、二酸化炭素濃度又は湿度等を含む、室内の雰囲気に関するパラメータに基づいて検出されうる。人間の眠気の増大又は集中力の低下が検出された場合に、人間の眠気を解消したり集中力を高めたりする対策が求められる。
【００１５】
人間の集中力に影響を及ぼすホルモンとしてメラトニンが挙げられる。メラトニンは、人間の脈拍、体温及び血圧等などを低下させるホルモンである。つまり、メラトニンの分泌が活発になることによって、人間は眠気を感じたり集中しにくくなったりする。逆に、人間の体内でメラトニンの分泌が抑制されることによって、人間が覚醒しやすくなるとともに、集中しやすくなる。例えば以下に挙げる参考論文３によれば、人間が約４６０ｎｍの波長の光を受けることによって、体内におけるメラトニンの分泌が抑制される。
［参考論文３］
George C. Brainard et al., Action Spectrum for Melatonin Regulation in Humans: Evidence for a Novel Circadian Photoreceptor, The Journal of Neuroscience, August 15, 2001, 21(16):6405-6412
【００１６】
人間が集中しにくくなっている場合、人間が集中しやすくなるように、人間の体内におけるメラトニンの分泌を抑制することが有効でありうる。
【００１７】
（実施形態）
図１に示されるように、一実施形態に係る照明システム１は、対象空間５０を照明する照明装置２０と、対象空間５０から情報を取得するセンサ４０とを備える。照明装置２０は、対象空間５０を照明する光を射出する発光装置１０を備える。対象空間５０を照明する光は、照明光とも称される。照明装置２０は、発光装置１０を制御する制御部２２をさらに備える。制御部２２は、センサ４０から対象空間５０に関する情報を取得し、その情報に基づいて発光装置１０を制御する。
【００１８】
本実施形態に係る照明システム１は、会議室若しくはオフィス、又は教室等の、利用者を集中させることが求められる場所に設置されてよい。つまり、照明システム１は、利用者を集中させることが求められる場所を対象空間５０として照明してよい。
【００１９】
本実施形態に係る照明システム１及び照明装置２０は、利用者の体内におけるメラトニンの分泌を抑制できるように照明光を制御する。その結果、照明システム１及び照明装置２０は、対象空間５０の利用者を集中させやすくなる。
【００２０】
発光装置１０は、後述するように、所定のスペクトルで特定される光を照明光として射出する。所定のスペクトルは、例えば、３６０ｎｍ〜４３０ｎｍの波長領域にピーク波長を有するとともに、４３０ｎｍ〜７８０ｎｍの波長領域にピーク波長を有してよい。
【００２１】
制御部２２は、照明装置２０の各構成部に制御指示を出力したり、各構成部から種々の情報を取得したりする。例えば、制御部２２は、発光装置１０が照明光として射出する光のスペクトル及び強度を制御する。発光装置１０は、制御部２２からの制御指示に基づいて、種々のスペクトルで特定される光を射出できる。制御部２２は、照明装置２０とは別体の制御装置として構成されてもよい。
【００２２】
制御部２２は、種々の機能を実行するための制御及び処理能力を提供するために、少なくとも１つのプロセッサを含んでよい。プロセッサは、制御部２２の種々の機能を実現するプログラムを実行しうる。プロセッサは、単一の集積回路として実現されてよい。集積回路は、ＩＣ（Integrated Circuit）ともいう。プロセッサは、複数の通信可能に接続された集積回路及びディスクリート回路として実現されてよい。プロセッサは、他の種々の既知の技術に基づいて実現されてよい。
【００２３】
制御部２２は、インタフェースを含んでよい。制御部２２は、インタフェースを介して、有線又は無線によって、照明システム１の各構成部と通信可能に接続されてよい。インタフェースは、ＬＡＮ（Local Area Network）等の通信インタフェースを含んでよい。インタフェースは、４Ｇ（4th Generation）若しくはＬＴＥ（Long Term Evolution）、又は５Ｇ（5th Generation）等の種々の通信方式による通信を実現してもよい。インタフェースは、赤外線通信又はＮＦＣ（Near Field Communication）通信等の非接触通信の通信インタフェースを備えてもよい。インタフェースは、ＲＳ２３２Ｃ又はＲＳ４８５等のシリアル通信規格に基づく信号を入出力可能なポートを含んでもよい。
【００２４】
照明装置２０は、記憶部２４をさらに備えてよい。記憶部２４は、磁気ディスク等の電磁記憶媒体を含んでよいし、半導体メモリ又は磁気メモリ等のメモリを含んでもよい。記憶部２４は、各種情報及び制御部２２で実行されるプログラム等を格納する。記憶部２４は、制御部２２のワークメモリとして機能してよい。記憶部２４の少なくとも一部は、制御部２２に含まれていてもよい。
【００２５】
センサ４０は、対象空間５０の雰囲気に関する情報を取得するデバイスを含んでよい。センサ４０は、対象空間５０の湿度を検出する湿度センサを含んでよい。センサ４０は、対象空間５０の二酸化炭素濃度を検出するＣＯ２センサを含んでよい。センサ４０は、対象空間５０の気温を検出する温度センサを含んでよい。センサ４０は、これらの例に限られず、種々のデバイスを含んでもよい。センサ４０は、例えば、対象空間５０を撮像するカメラ等の撮像装置と、撮像画像を解析することによって対象空間５０の雰囲気を検出する画像処理装置とを含んでもよい。センサ４０は、制御部２２に検出結果を出力するためのインタフェースを含んでよい。インタフェースは、種々の通信インタフェースを含んでよい。センサ４０は、インタフェースを介して、有線又は無線によって、制御部２２と通信可能に接続されてよい。
【００２６】
図２に示されるように、照明装置２０は、発光装置１０が実装された実装板２５をさらに備えてよい。照明装置２０は、実装板２５を収容する溝状の部分を有する筐体２６と、筐体２６の短辺側の端部を塞ぐ一対の端板２７とをさらに備えてよい。実装板２５に実装されている発光装置１０の数は、１つであってもよいし、２つ以上であってもよい。発光装置１０は、実装板２５において、一列に並ぶように実装されてもよいし、格子状に並ぶように実装されてもよい。発光装置１０は、これらのパターンに限られず、種々の配列パターンで実装板２５に実装されてよい。
【００２７】
＜発光装置＞
図３、図４及び図５に示されるように、発光装置１０は、発光素子３と、波長変換部材６とを備える。発光装置１０は、素子基板２と、枠体４と、封止部材５とをさらに備えてもよい。
【００２８】
発光素子３は、３６０ｎｍ〜４３０ｎｍの波長領域にピーク波長を有する光を射出する。３６０ｎｍ〜４３０ｎｍの波長領域にピーク波長を有する光は、紫色光ともいう。３６０ｎｍ〜４３０ｎｍの波長領域は、紫色光領域ともいう。
【００２９】
波長変換部材６は、発光素子３から波長変換部材６に入射してきた光を、可視光領域にピーク波長を有する光に変換し、変換した光を射出する。可視光は、紫色光を含むとする。可視光領域は、紫色光領域を含むとする。
【００３０】
発光装置１０は、複数の波長変換部材６を有してよい。複数の波長変換部材６は、それぞれ異なるピーク波長を有する光を射出してよい。発光装置１０は、各波長変換部材６が射出する光の強度を制御することによって、種々のスペクトルを有する光を射出できる。
【００３１】
素子基板２は、例えば、絶縁性を有する材料で形成されてよい。素子基板２は、例えば、アルミナ若しくはムライト等のセラミック材料、ガラスセラミック材料、又は、これらの材料のうち複数の材料を混合した複合系材料等で形成されてよい。素子基板２は、熱膨張を調整することが可能な金属酸化物微粒子を分散させた高分子樹脂材料等で形成されてもよい。
【００３２】
素子基板２は、素子基板２の主面２Ａ又は素子基板２の内部に、素子基板２に実装している発光素子３等の部品を電気的に導通する配線導体を備えてよい。配線導体は、例えば、タングステン、モリブデン、マンガン、又は銅等の導電材料で形成されてよい。配線導体は、例えば、タングステンの粉末に有機溶剤が添加された金属ペーストを、素子基板２となるセラミックグリーンシートに所定パターンで印刷し、複数のセラミックグリーンシートを積層して、焼成することにより形成されてよい。配線導体は、酸化防止のために、その表面に、例えば、ニッケル又は金等のめっき層が形成されてよい。
【００３３】
素子基板２は、発光素子３が発光する光を効率良く外部へと放出させるため、配線導体、及びめっき層と間隔を空けて、金属反射層を備えてもよい。金属反射層は、例えば、アルミニウム、銀、金、銅又はプラチナ等の金属材料で形成されてよい。
【００３４】
本実施形態において、発光素子３は、ＬＥＤであるとする。ＬＥＤは、Ｐ型半導体とＮ型半導体とが接合されたＰＮ接合中で、電子と正孔とが再結合することによって、外部へと光を発光する。発光素子３は、ＬＥＤに限られず、レーザー（ＬＤ）や他の発光デバイスであってもよい。
【００３５】
発光素子３は、素子基板２の主面２Ａ上に実装される。発光素子３は、素子基板２に設けられる配線導体の表面に被着するめっき層上に、例えば、ろう材又は半田等を介して、電気的に接続される。素子基板２の主面２Ａ上に実装される発光素子３の個数は、特に限定されるものではない。
【００３６】
発光素子３は、透光性基体と、透光性基体上に形成される光半導体層とを含んでよい。透光性基体は、例えば、有機金属気相成長法、又は分子線エピタキシャル成長法等の化学気相成長法を用いて、その上に光半導体層を成長させることが可能な材料を含む。透光性基体は、例えば、サファイア、窒化ガリウム、窒化アルミニウム、酸化亜鉛、セレン化亜鉛、シリコンカーバイド、シリコン （Ｓｉ）、又は二ホウ化ジルコニウム等で形成されてよい。透光性基体の厚みは、例えば、５０μｍ以上１０００μｍ以下であってよい。
【００３７】
光半導体層は、透光性基体上に形成される第１半導体層と、第１半導体層上に形成される発光層と、発光層上に形成される第２半導体層とを含んでよい。第１半導体層、発光層、及び第２半導体層は、例えば、ＩＩＩ族窒化物半導体、ガリウム燐若しくはガリウムヒ素等のＩＩＩ−Ｖ族半導体、又は、窒化ガリウム、窒化アルミニウム若しくは窒化インジウム等のＩＩＩ族窒化物半導体等で形成されてよい。
【００３８】
第１半導体層の厚みは、例えば、１μｍ以上５μｍ以下であってよい。発光層の厚みは、例えば、２５ｎｍ以上１５０ｎｍ以下であってよい。第２半導体層の厚みは、例えば、５０ｎｍ以上６００ｎｍ以下であってよい。
【００３９】
枠体４は、例えば、酸化アルミニウム、酸化チタン、酸化ジルコニウム又は酸化イットリウム等のセラミック材料で形成されてよい。枠体４は、多孔質材料で形成されてよい。枠体４は、酸化アルミニウム、酸化チタン、酸化ジルコニウム又は酸化イットリウム等の金属酸化物を含む粉末を混合した樹脂材料で形成されてよい。枠体４は、これらの材料に限られず、種々の材料で形成されてよい。
【００４０】
枠体４は、素子基板２の主面２Ａに、例えば、樹脂、ろう材又は半田等を介して、接続される。枠体４は、発光素子３と間隔を空けて、発光素子３を取り囲むように素子基板２の主面２Ａ上に設けられる。枠体４は、内壁面が、素子基板２の主面２Ａから遠ざかる程、外方に向かって広がるように傾斜して設けられている。内壁面は、発光素子３が発光する光を反射させる反射面として機能する。内壁面は、例えば、タングステン、モリブデン、又はマンガン等の金属材料で形成される金属層と、金属層を被覆し、ニッケル又は金等の金属材料で形成されるめっき層とを含んでよい。めっき層は、発光素子３が発光する光を反射する。
【００４１】
枠体４の内壁面の形状は、平面視において、円形状であってよい。内壁面の形状が円形状であることによって、枠体４は、発光素子３が発光する光を略一様に、外方に向かって反射させることができる。枠体４の内壁面の傾斜角度は、素子基板２の主面２Ａに対して、例えば、５５度以上７０度以下の角度に設定されていてよい。
【００４２】
封止部材５は、素子基板２及び枠体４で囲まれる内側の空間に、枠体４で囲まれる内側の空間の上部の一部を残して充填されている。封止部材５は、発光素子３を封止するとともに、発光素子３が発光する光を透過させる。封止部材５は、例えば、光透過性を有する材料で形成されてよい。封止部材５は、例えば、シリコーン樹脂、アクリル樹脂若しくはエポキシ樹脂等の光透過性を有する絶縁樹脂材料、又は光透過性を有するガラス材料、等で形成されてよい。封止部材５の屈折率は、例えば、１．４以上１．６以下に設定されていてよい。
【００４３】
発光装置１０が封止部材５を備える場合、発光素子３から射出された紫色光は、封止部材５を通過して波長変換部材６に入射する。上述したように、波長変換部材６は、発光素子３から入射してきた紫色光を、可視光領域に含まれる種々のピーク波長を有する光に変換する。発光素子３は、射出した紫色光が波長変換部材６に入射するように位置する。言い換えれば、波長変換部材６は、発光素子３から射出された光が入射してくるように位置する。図３から図５に例示されている構成において、波長変換部材６は、素子基板２及び枠体４で囲まれる内側の空間の上部の一部に、封止部材５の上面に沿って位置している。この例に限定されることなく、例えば、波長変換部材６は、素子基板２及び枠体４で囲まれる内側の空間の上部からはみ出すように位置してもよい。
【００４４】
図５に示されるように、波長変換部材６は、透光性を有する透光部材６０と、第１蛍光体６１、第２蛍光体６２、第３蛍光体６３、第４蛍光体６４及び第５蛍光体６５とを備えてよい。第１蛍光体６１、第２蛍光体６２、第３蛍光体６３、第４蛍光体６４及び第５蛍光体６５は、単に蛍光体ともいう。蛍光体は、透光部材６０の内部に含有されているとする。蛍光体は、透光部材６０の内部で略均一に分散されていてよい。蛍光体は、波長変換部材６に入射してきた紫色光を、３６０ｎｍ〜７８０ｎｍの波長領域に含まれるピーク波長を有する光に変換し、変換した光を射出する。
【００４５】
透光部材６０は、例えば、フッ素樹脂、シリコーン樹脂、アクリル樹脂若しくはエポキシ樹脂等の透光性を有する絶縁樹脂、又は透光性を有するガラス材料等で形成されていてよい。
【００４６】
蛍光体は、入射してきた紫色光を種々のピーク波長を有する光に変換する。
【００４７】
第１蛍光体６１は、紫色光を、例えば４００ｎｍ〜５００ｎｍの波長領域内にピーク波長を有するスペクトルで特定される光、つまり青色の光に変換してよい。第１蛍光体６１は、例えば、ＢａＭｇＡｌ１０Ｏ１７：Ｅｕ、又は（Ｓｒ，Ｃａ，Ｂａ）１０（ＰＯ４）６Ｃｌ２：Ｅｕ，（Ｓｒ，Ｂａ）１０（ＰＯ４）６Ｃｌ２：Ｅｕ等を用いることができる。
【００４８】
第２蛍光体６２は、紫色光を、例えば４５０ｎｍ〜５５０ｎｍの波長領域内にピーク波長を有するスペクトルで特定される光、つまり青緑色の光に変換してよい。第２蛍光体６２は、例えば、（Ｓｒ，Ｂａ，Ｃａ）５（ＰＯ４）３Ｃｌ：Ｅｕ，Ｓｒ４Ａｌ１４Ｏ２５：Ｅｕ等を用いることができる。
【００４９】
第３蛍光体６３は、紫色光を、例えば５００ｎｍ〜６００ｎｍの波長領域内にピーク波長を有するスペクトルで特定される光、つまり緑色の光に変換してよい。第３蛍光体６３は、例えば、ＳｒＳｉ２（Ｏ，Ｃｌ）２Ｎ２：Ｅｕ、（Ｓｒ，Ｂａ，Ｍｇ）２ＳｉＯ４：Ｅｕ２＋、又はＺｎＳ：Ｃｕ，Ａｌ、Ｚｎ２ＳｉＯ４：Ｍｎ等を用いることができる。
【００５０】
第４蛍光体６４は、紫色光を、例えば６００ｎｍ〜７００ｎｍの波長領域内にピーク波長を有するスペクトルで特定される光、つまり赤色の光に変換してよい。第４蛍光体６４は、例えば、Ｙ２Ｏ２Ｓ：Ｅｕ、Ｙ２Ｏ３：Ｅｕ、ＳｒＣａＣｌＡｌＳｉＮ３：Ｅｕ２＋、ＣａＡｌＳｉＮ３：Ｅｕ、又はＣａＡｌＳｉ（ＯＮ）３：Ｅｕ等を用いることができる。
【００５１】
第５蛍光体６５は、紫色光を、例えば６８０ｎｍ〜８００ｎｍの波長領域内にピーク波長を有するスペクトルで特定される光、つまり近赤外光に変換してよい。近赤外光は、６８０〜２５００ｎｍの波長領域の光を含んでよい。第５蛍光体６５は、例えば、３Ｇａ５Ｏ１２：Ｃｒ等を用いることができる。
【００５２】
波長変換部材６が含有する蛍光体の種類の組み合わせは、特に限定されない。図４及び図５の領域Ｘに示されるように、波長変換部材６は、第１蛍光体６１、第２蛍光体６２、第３蛍光体６３、第４蛍光体６４及び第５蛍光体６５を有してよい。波長変換部材６は、他の種類の蛍光体を有してもよい。
【００５３】
発光装置１０は、複数の波長変換部材６を備えてよい。各波長変換部材６は、蛍光体の組み合わせが異なっていてもよい。発光装置１０は、各波長変換部材６に対して紫色光を射出する発光素子３を備えてよい。発光装置１０は、各波長変換部材６に入射する紫色光の強度を制御することによって、種々のスペクトルを有する光を射出できる。
【００５４】
本実施形態に係る発光装置１０は、波長変換部材６の組み合わせによって、種々のスペクトルを有する光を射出できる。発光装置１０は、例えば、太陽からの直射日光のスペクトル、海中の所定の深さまで到達した日光のスペクトル、ろうそくの炎が発する光のスペクトル、又は、蛍の光のスペクトル等を有する光等を射出できる。言い換えれば、発光装置１０は、種々の色を有する光を射出できる。
【００５５】
照明装置２０は、複数の発光装置１０を有してよい。複数の発光装置１０は、第１発光装置と第２発光装置とを含んでよい。制御部２２は、第１発光装置が射出する光の強度、及び、第２発光装置が射出する光の強度をそれぞれ独立に制御してもよいし、関連づけて制御してもよい。第１発光装置が射出する光のスペクトルは、第２発光装置が射出する光のスペクトルと異なっていてもよい。制御部２２は、第１発光装置が射出する光の強度と、第２発光装置が射出する光の強度とを関連づけて制御することによって、第１発光装置が射出する光と第２発光装置が射出する光とを合成した光のスペクトルを制御してもよい。第１発光装置が射出する光と第２発光装置が射出する光とを合成した光は、合成光ともいう。照明装置２０は、合成光を照明光として射出してもよい。
【００５６】
＜照明光のスペクトルの制御＞
制御部２２は、センサ４０から対象空間５０の雰囲気に関する情報を取得する。対象空間５０の雰囲気に関する情報は、雰囲気情報とも称される。雰囲気情報は、対象空間５０の二酸化炭素濃度又は気温若しくは湿度等を含んでよい。雰囲気情報は、これらに限られず、他の種々の情報を含んでもよい。
【００５７】
制御部２２は、対象空間５０の二酸化炭素濃度が所定濃度以上である場合、対象空間５０の利用者の眠気の増大、又は、利用者の集中力の低下の可能性があると検出してよい。制御部２２は、検出結果に基づいて、利用者の眠気を解消させたり、利用者を集中させたりできるように、照明光のスペクトルを制御してよい。所定濃度は、例えば１５００ｐｐｍに設定されてよいし、２５００ｐｐｍに設定されてもよい。所定濃度は、これらの値に限られず、種々の値に設定されてよい。
【００５８】
制御部２２は、対象空間５０の湿度が所定の湿度範囲外である場合、対象空間５０の利用者の眠気の増大、又は、利用者の集中力の低下の可能性があると検出してよい。制御部２２は、検出結果に基づいて、利用者の眠気を解消させたり、利用者を集中させたりできるように、照明光のスペクトルを制御してよい。所定の湿度範囲は、例えば３５％以上且つ６５％以下に設定されてよいが、これに限られない。
【００５９】
制御部２２は、対象空間５０の気温及び湿度に基づいて対象空間５０の不快指数を算出してよい。制御部２２は、例えば以下の式（１）に基づいて不快指数を算出してよい。
０．８１×Ｔ＋０．０１×Ｈ×（０．９９×Ｔ−１４．３）＋４６．３      （１）
Ｔ及びＨは、それぞれ対象空間５０の気温及び湿度を表している。
【００６０】
制御部２２は、不快指数が所定の指数範囲外である場合、対象空間５０の利用者の眠気の増大、又は、利用者の集中力の低下の可能性があると検出してよい。制御部２２は、検出結果に基づいて、利用者の眠気を解消させたり、利用者を集中させたりできるように、照明光のスペクトルを制御してよい。上述の式（１）に基づいて不快指数が算出される場合、所定の指数範囲は、６０以上且つ７５以下に設定されてよいが、これに限られない。制御部２２は、例示した方法に限られず、他の方法で不快指数を算出してもよい。他の方法で不快指数が算出される場合、所定の指数範囲は、不快指数の算出方法に応じて設定されてよい。
【００６１】
制御部２２は、雰囲気情報が制御条件を満たした場合に、対象空間５０の利用者の眠気の増大、又は、利用者の集中力の低下の可能性があると検出してよい。制御条件は、上述してきたように、対象空間５０の二酸化炭素濃度、湿度、又は、不快指数等に関する条件を含んでよい。制御条件は、これらに限られず、他の種々の条件を含んでもよい。
【００６２】
制御部２２は、雰囲気情報が制御条件を満たした場合に、発光装置１０を制御し、利用者の眠気を解消させたり、利用者を集中させたりできるような照明光を照明装置２０に射出させてよい。
【００６３】
制御部２２は、照明装置２０が射出する照明光のスペクトルが図６に例示されるスペクトルとなるように発光装置１０を制御してよい。照明光のスペクトルは、例えば、分光測光装置などにより分光法を用いて測定される。図６のグラフにおいて、横軸及び縦軸はそれぞれ、照明装置２０が射出する照明光の波長、及び、各波長における相対光強度を表している。
【００６４】
実線で表されているスペクトルＳＰ１は、第１状態において対象空間５０を照らす照明光のスペクトルを表している。第１状態は、対象空間５０の利用者の眠気の増大、又は、利用者の集中力の低下の可能性が検出されていない状態に対応する。破線で表されているスペクトルＳＰ２は、第２状態において対象空間５０を照らす照明光のスペクトルを表している。スペクトルＳＰ２は、４４０〜４７０ｎｍの波長領域以外の波長領域において、スペクトルＳＰ２と重なっているとする。第２状態は、対象空間５０の利用者の眠気の増大、又は、利用者の集中力の低下の可能性が検出されている状態に対応する。制御部２２は、雰囲気情報に基づいて、照明装置２０に射出させる照明光のスペクトルを、スペクトルＳＰ１とするかスペクトルＳＰ２とするか決定してよい。
【００６５】
スペクトルＳＰ１及びスペクトルＳＰ２は、６００ｎｍ〜６６０ｎｍの波長領域に第１ピーク波長λ１を有する。第１ピーク波長λ１は、第１蛍光体６１が放出する光の波長に対応する。スペクトルＳＰ１及びスペクトルＳＰ２は、５１０ｎｍ〜５５０ｎｍの波長領域に第２ピーク波長λ２を有する。第２ピーク波長λ２は、第２蛍光体６２が放出する光の波長に対応する。スペクトルＳＰ１及びスペクトルＳＰ２は、４４０ｎｍ〜４７０ｎｍの波長領域に第３ピーク波長λ３を有する。第３ピーク波長λ３は、第３蛍光体６３が放出する光の波長に対応する。スペクトルＳＰ１及びスペクトルＳＰ２は、３６０ｎｍ〜４３０ｎｍの波長領域に第４ピーク波長λ４を有する。スペクトルＳＰ１及びスペクトルＳＰ２は、４個のピーク波長を有している。
【００６６】
スペクトルＳＰ１とスペクトルＳＰ２とは、第３ピーク波長λ３の相対光強度において異なっている。スペクトルＳＰ２の第３ピーク波長λ３の相対光強度は、スペクトルＳＰ１の第３ピーク波長λ３の相対光強度より大きい。つまり、制御部２２は、雰囲気情報に基づいて、第４ピーク波長λ４の相対光強度に対する第３ピーク波長λ３の相対光強度の比を変化させている。
【００６７】
スペクトルＳＰ２で特定される照明光は、スペクトルＳＰ１で特定される照明光よりも、約４６０ｎｍの波長の成分を多く含む。したがって、スペクトルＳＰ２で特定される照明光は、スペクトルＳＰ１で特定される照明光よりも、人間に照射されたときにその人間の体内におけるメラトニンの分泌を抑制しやすい。その結果、照明装置２０は、スペクトルＳＰ２で特定される照明光で対象空間５０を照らすことによって、対象空間５０の利用者の眠気を解消させたり、利用者を集中させたりできる。
【００６８】
スペクトルＳＰ１及びスペクトルＳＰ２は、いずれも、赤色、緑色及び青色の３色の光それぞれを、太陽光のスペクトルに近い比率で含んでいる。対象空間５０の利用者は、スペクトルＳＰ１で特定される照明光と、スペクトルＳＰ２で特定される照明光との間に差異を感じにくい。このようにすることで、照明装置２０は、対象空間５０の利用者に違和感を与えずに照明光のスペクトルを変更できる。その結果、照明装置２０は、利用者の快適性を損なわずに、利用者の眠気を解消させたり、利用者を集中させたりできる。
【００６９】
＜照明光の色温度の制御＞
光の色は、その光が有するスペクトルによって特定されるとともに、色温度によっても表される。色温度は、黒体の温度に対応づけられるパラメータである。Ｔで表される温度を有する黒体が放射する光のスペクトルの色温度は、Ｔと表される。例えば、５０００Ｋ（ケルビン）の黒体が放射する光のスペクトルの色温度は、５０００Ｋと表される。約４０００Ｋ〜５０００Ｋの色温度を有する光の色は、白色とも称される。色温度が白色の光よりも低いほど、その光の色は、赤色の成分を多く含みうる。つまり、低い色温度を有する光は、赤っぽく見える。色温度が白色の光よりも高いほど、その光の色は、青色の成分を多く含みうる。つまり、高い色温度を有する光は、青っぽく見える。
【００７０】
黒体が放射する光のスペクトルだけでなく、黒体が放射する光のスペクトルに近似するスペクトルも、色温度によって表されてよい。所定のスペクトルがＴで表される温度を有する黒体が放射する光のスペクトルに近似する場合、所定のスペクトルの色温度はＴと表されるとする。２つの光のスペクトルが互いに近似の関係であるか否かは、種々の条件によって決定されてよい。２つの光のスペクトルが互いに近似の関係であるための条件は、例えば、２つの光のスペクトル同士で各波長の相対強度を比較した場合に、各波長における差が所定範囲内であることを含んでよい。２つの光のスペクトルが互いに近似の関係であるための条件は、例えば、２つの光のスペクトルにそれぞれ含まれるピーク波長の差が所定範囲内であることを含んでもよい。２つの光のスペクトルが近似の関係であるための条件は、これらの例に限られず種々の条件を含んでもよい。
【００７１】
例えば、正午頃の太陽光のスペクトルは、約５０００Ｋの黒体が放射する光のスペクトルに近似されうる。この場合、正午頃の太陽光の色温度は、約５０００Ｋと表されるとする。約５０００Ｋの色温度で表される光の色は、昼白色とも称される。昼白色の色温度よりも高い約６５００Ｋの色温度で表される光の色は、昼光色とも称される。昼光色は、白色よりも青色の成分を多く含み、青っぽく見える。昼白色は、昼光色よりも白色に近い色に見える。
【００７２】
制御部２２は、照明装置２０が色温度によって表されるスペクトルを有する光を射出するように、発光装置１０を制御してよい。制御部２２は、照明装置２０が色温度によって表せないスペクトルを有する光を射出するように、発光装置１０を制御してもよい。
【００７３】
人間は、６０００Ｋ以上の色温度を有する光を浴びている場合、５５００Ｋ以下の色温度を有する光を浴びている場合よりも集中しやすくなる一方で、疲れやすくなることがある。制御部２２は、対象空間５０の状態が第２状態となっている場合にだけ、６０００Ｋ以上の色温度を有する照明光を照明装置２０に射出させるように発光装置１０を制御してよい。この場合、制御部２２は、例えば６５００Ｋの色温度を有する昼光色の光を照明光として照明装置２０に射出させるように発光装置１０を制御してよい。一方で、制御部２２は、対象空間５０の状態が第１状態となっている場合に、５５００Ｋ以下の色温度を有する照明光を照明装置２０に射出させるように発光装置１０を制御してよい。この場合、制御部２２は、例えば５０００Ｋの色温度を有する昼白色の光を照明光として照明装置２０に射出させるように発光装置１０を制御してよい。
【００７４】
制御部２２は、照明装置２０が射出する照明光のスペクトルが図７に例示されるスペクトルとなるように発光装置１０を制御してよい。図７のグラフにおいて、横軸及び縦軸はそれぞれ、照明装置２０が射出する照明光の波長、及び、各波長における相対光強度を表している。
【００７５】
実線で表されているスペクトルＳＰ３は、５０００Ｋの色温度を有する照明光、すなわち昼白色の照明光のスペクトルを表している。破線で表されているスペクトルＳＰ４は、６５００Ｋの色温度を有する照明光、すなわち昼光色の照明光のスペクトルを表している。制御部２２は、対象空間５０の状態が第１状態であると判定した場合、発光装置１０を制御して、照明装置２０にスペクトルＳＰ３で特定される照明光を射出させてよい。制御部２２は、対象空間５０の状態が第２状態であると判定した場合、発光装置１０を制御して、照明装置２０にスペクトルＳＰ４で特定される照明光を射出させてよい。
【００７６】
対象空間５０の利用者の眠気を解消させたり、利用者を集中させたりする必要がある場合だけ、照明光の色温度が高められることによって、対象空間５０の利用者が疲れにくくなる。その結果、利用者の快適性が向上しうる。
【００７７】
制御部２２は、雰囲気情報に基づいて、対象空間５０の利用者の眠気の増大、又は、利用者の集中力の低下の度合いを算出してもよい。制御部２２は、対象空間５０の利用者の眠気の増大、又は、利用者の集中力の低下の度合いの算出結果に基づいて、照明光のスペクトルを決定してよい。つまり、制御部２２は、雰囲気情報の変化に基づいて、照明光のスペクトルを変化させてよい。
【００７８】
制御部２２は、対象空間５０の二酸化炭素濃度が高くなるほど、第３ピーク波長λ３の相対光強度が高くなったり照明光の色温度が高くなったりするように照明光のスペクトルを変化させてよい。制御部２２は、対象空間５０の湿度と基準湿度との差を算出し、その差が大きくなるほど、第３ピーク波長λ３の相対光強度が高くなったり照明光の色温度が高くなったりするように照明光のスペクトルを変化させてよい。制御部２２は、対象空間５０の不快指数を算出し、利用者が快適に感じる値との差が大きくなるほど、第３ピーク波長λ３の相対光強度が高くなったり照明光の色温度が高くなったりするように照明光のスペクトルを変化させてよい。制御部２２は、対象空間５０の利用者の眠気の増大、又は、利用者の集中力の低下の度合いを数値化し、その値が大きくなるほど、第３ピーク波長λ３の相対光強度が高くなったり照明光の色温度が高くなったりするように照明光のスペクトルを変化させてよい。照明装置２０が照明光のスペクトルを連続的に変化させることによって、利用者はスペクトルの変化に気づきにくくなるとともに違和感を覚えにくくなる。その結果、照明装置２０は、利用者の快適性を損なわずに、利用者の眠気を解消させたり、利用者を集中させたりできる。
【００７９】
＜照明装置の制御方法＞
照明システム１は、図８に例示されるフローチャートの手順を含む制御方法を実行することによって、照明光を制御してよい。
【００８０】
制御部２２は、対象空間５０の雰囲気に関する情報（雰囲気情報）を取得する（ステップＳ１）。
【００８１】
制御部２２は、雰囲気情報が制御条件を満たすか判定する（ステップＳ２）。制御条件は、例えば、対象空間５０の二酸化炭素濃度が所定値以上であることを含んでよい。制御条件は、例えば、対象空間５０の湿度が所定範囲外であることを含んでよい。制御条件は、例えば、対象空間５０の不快指数が所定範囲外であることを含んでよい。制御条件は、これらに限られず、種々の条件を含んでよい。
【００８２】
制御部２２は、雰囲気情報が制御条件を満たしている場合（ステップＳ２：ＹＥＳ）、照明光のスペクトルにおいて、第３ピーク波長λ３の相対光強度を増加させる（ステップＳ３）。制御部２２は、第４ピーク波長λ４の相対光強度に対する第３ピーク波長λ３の相対光強度の比を増加させてよい。制御部２２は、照明光の色温度を高くしてもよい。制御部２２は、ステップＳ３の手順を実行した後、及び、雰囲気情報が制御条件を満たしていない場合（ステップＳ２：ＮＯ）、図８のフローチャートの手順を終了する。
【００８３】
制御部２２は、図８の手順に限られず、他の手順を含む制御方法を実行してもよい。制御部２２は、雰囲気情報の変化に応じて、照明光のスペクトルを変化させるように発光装置１０を制御してもよい。
【００８４】
（比較例）
比較例に係る装置は、青色光が蛍光体で黄色の光に変換されることによって生成される照明光を射出する。比較例に係る装置において、照明光に含まれる青色光の相対光強度が大きくなるほど、他の色の光の相対光強度を含む照明光全体の強度が大きくなる。つまり、比較例に係る装置は、青色光の相対光強度と、照明光全体の強度とを独立に制御できない。一方、本実施形態に係る照明装置２０は、紫色光によって蛍光体を励起することによって、種々の色の光を含む照明光を射出している。したがって、本実施形態に係る照明装置２０は、照明光の青色光の相対光強度を、照明光全体の強度と独立に制御できる。照明光の青色光の相対光強度が照明光全体の強度と独立に制御されることによって、照明光のうち青色光だけを強くできる。その結果、本実施形態に係る照明装置２０は、対象空間５０の利用者に違和感を与えずに、利用者の眠気を解消させたり、利用者を集中させたりできる。
【００８５】
（他の実施形態）
制御部２２は、雰囲気情報に基づいて、照明装置２０が射出する照明光の点灯パターンを変更してもよい。点灯パターンは、例えば照明光の点滅を含んでよい。点灯パターンは、照明光が射出されている時間と照明光が射出されていない時間との比率によって特定されてもよい。照明装置２０は、照明光の点灯パターンを変更することによっても、利用者の眠気を解消させたり、利用者を集中させたりできる。
【００８６】
制御部２２は、回転灯を制御可能に構成されてよい。制御部２２は、雰囲気情報に基づいて、回転灯を点灯させるか決定してよい。回転灯の点灯は、利用者の眠気を解消させたり、利用者を集中させたりしうる。回転灯の点灯は、対象空間５０の利用者、又は、対象空間５０の管理者に、対象空間５０の利用者の眠気の増大、又は、利用者の集中力の低下の度合いが所定範囲外になったことを報知する機能を有してもよい。回転灯は、対象空間５０に含まれてもよいし、照明システム１に含まれてもよい。
【００８７】
制御部２２は、ブザー又はスピーカ等の音声出力デバイスを制御可能に構成されてよい。制御部２２は、雰囲気情報に基づいて、ブザーを鳴動させたりスピーカから音声を出力させたりしてよい。ブザーの鳴動又はスピーカからの音声等は、利用者の眠気を解消させたり、利用者を集中させたりしうる。ブザーの鳴動又はスピーカからの音声等は、対象空間５０の利用者、又は、対象空間５０の管理者に、対象空間５０の利用者の眠気の増大、又は、利用者の集中力の低下の度合いが所定範囲外になったことを報知する機能を有してもよい。ブザー又はスピーカ等の音声出力デバイスは、対象空間５０に含まれてもよいし、照明システム１に含まれてもよい。
【００８８】
制御部２２は、サーバ又は端末等の他の装置と通信可能に構成されてよい。制御部２２は、対象空間５０の利用者の眠気の増大、又は、利用者の集中力の低下の度合いが所定範囲外になったことを示す情報をサーバ又は端末等の他の装置に出力してもよい。サーバ又は端末等の他の装置は、対象空間５０に含まれてもよいし、照明システム１に含まれてもよい。端末は、対象空間５０によって保有されていてもよい。
【００８９】
対象空間５０は、換気扇又は窓の開閉装置等の換気手段を備えてよい。制御部２２は、対象空間５０の利用者の眠気の増大、又は、利用者の集中力の低下の度合いが所定範囲外になった場合、対象空間５０の換気手段を動作させてよい。
【００９０】
本開示に係る実施形態について説明する図は模式的なものである。図面上の寸法比率等は、現実のものとは必ずしも一致していない。
【００９１】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部等に含まれる機能等は論理的に矛盾しないように再配置可能であり、複数の構成部等を１つに組み合わせたり、或いは分割したりすることが可能である。
【００９２】
本開示において「第１」及び「第２」等の記載は、当該構成を区別するための識別子である。本開示における「第１」及び「第２」等の記載で区別された構成は、当該構成における番号を交換することができる。例えば、第１蛍光体は、第２蛍光体と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【００９３】
１  照明システム
１０  発光装置（２：素子基板、２Ａ：主面、３：発光素子、４：枠体、５：封止部材、６：波長変換部材、６０：透光部材、６１〜６５：第１〜第５蛍光体）
２０  照明装置（２５：実装板、２６：筐体、２７：端板）
２２  制御部
２４  記憶部
４０  センサ
５０  対象空間
【図１】
2020184412.tif 000003
【図２】
2020184412.tif 000004
【図３】
2020184412.tif 000005
【図４】
2020184412.tif 000006
【図５】
2020184412.tif 000007
【図６】
2020184412.tif 000008
【図７】
2020184412.tif 000009
【図８】
2020184412.tif 000010